(57)【要約】【課題】留め置き印刷において、印刷後、ユーザがログアウトし忘れても、その印刷データが他人に印刷されるのを防止し、かつ、印刷データを容易に再印刷できるようにする。【解決手段】受信した印刷データを格納する格納手段に格納された印刷データの一覧を表示し、その表示された印刷データの一覧から、ログインしたユーザが選択した印刷データの印刷を実行する。こうして印刷された印刷データを、そのユーザがログインしている状態で、表示される印刷データの一覧から削除し、そのユーザがログアウトして再度ログインすると、その印刷された印刷データを、印刷データの一覧に表示させ、そのユーザがその印刷データを選択して再印刷することができる。【選択図】  図５
2017222116.tif 000002
【特許請求の範囲】
【請求項１】
受信した印刷データを格納する格納手段と、
前記格納手段に格納された印刷データの一覧を表示する表示手段と、
前記表示手段により表示された前記印刷データの一覧から、ログインしたユーザが選択した印刷データの印刷を実行する印刷制御手段と、
前記印刷制御手段により印刷された前記印刷データを、前記ユーザがログインしている状態で前記表示手段により表示される前記印刷データの一覧から削除し、前記ユーザがログアウトして再度ログインすると、前記印刷制御手段により印刷された前記印刷データを、前記表示手段により表示される前記印刷データの一覧に表示させる制御手段と、
を有することを特徴とする印刷装置。
【請求項２】
時間を計時する計時手段と、
前記印刷制御手段により印刷された前記印刷データの再印刷期限を設定する設定手段とを更に有し、
前記制御手段は、前記印刷制御手段が前記印刷データの印刷を実行すると前記計時手段による計時を開始させ、前記計時手段により計時した時間が前記設定手段により設定された前記再印刷期限になると前記格納手段に記憶された前記印刷データを削除することを特徴とする請求項１に記載の印刷装置。
【請求項３】
前記格納手段は、留め置き印刷が指示された印刷データを格納することを特徴とする請求項１又は２に記載の印刷装置。
【請求項４】
前記表示手段は、前記格納手段に格納された印刷データの書誌情報の一覧を表示することを特徴とする請求項１乃至３のいずれか１項に記載の印刷装置。
【請求項５】
前記表示手段は、前記ログインしたユーザが発行して前記格納手段に格納された印刷データの一覧を表示することを特徴とする請求項１乃至４のいずれか１項に記載の印刷装置。
【請求項６】
前記制御手段は、前記印刷制御手段が前記印刷データの印刷を実行すると前記計時手段による計時を開始させ、前記計時手段により計時した時間が前記設定手段により設定された前記再印刷期限になるまでは、前記格納手段に記憶された前記印刷データの再印刷を所定回数、許可することを特徴とする請求項２に記載の印刷装置。
【請求項７】
印刷装置を制御する制御方法であって、
受信した印刷データを記憶部に格納する格納工程と、
前記記憶部に格納された印刷データの一覧を表示する表示工程と、
前記表示工程で表示された前記印刷データの一覧から、ログインしたユーザが選択した印刷データの印刷を実行する印刷制御工程と、
前記印刷制御工程で印刷された前記印刷データを、前記ユーザがログインしている状態で前記表示工程で表示される前記印刷データの一覧から削除し、前記ユーザがログアウトして再度ログインすると、前記印刷制御工程で印刷された前記印刷データを、前記表示工程で表示される前記印刷データの一覧に表示させる制御工程と、
を有することを特徴とする印刷装置の制御方法。
【請求項８】
コンピュータを、請求項１乃至６のいずれか１項に記載の印刷装置の各手段として機能させるためのプログラム。
【発明の詳細な説明】
【技術分野】
【０００１】
本発明は、印刷装置とその制御方法、及びプログラムに関する。
【背景技術】
【０００２】
昨今、印刷物のセキュリティの観点から、留め置き印刷が広く用いられている。この留め置き印刷では、情報処理装置で実行されるアプリケーションからプリンタドライバを介して印刷装置に印刷データを送信すると、その印刷データを受信した印刷装置は直ぐに印刷処理を実行せずに、その印刷装置の記憶部に一旦保存する。このとき、その印刷データを発行したユーザに紐づけて保存される。その後、そのユーザが印刷装置にログインし、そのユーザが、保存されている印刷データの印刷指示を行うことにより、初めて印刷が実行される。これにより、印刷装置の近くにユーザが存在している状況で、そのユーザが発行した印刷データが印刷されるため、印刷物のセキュリティが守られる。但し、その印刷データの印刷設定を変更して再印刷できるように、印刷後も一定時間、その印刷データを印刷装置に保存されたままにしている。従って、ユーザが印刷を行った後、ログアウトするのを忘れると、第三者が、その保存している印刷データを参照したり印刷する可能性があり、セキュリティの点で問題となる。そこで、保存している印刷データを印刷すると、その印刷データを自動的に削除する機能も用意されている。この機能を用いると、印刷後にログアウトを忘れても、他人に印刷データを参照されたり、印刷されるという問題は無くなる。
【０００３】
しかし、この機能を用いると、印刷後に印刷装置から印刷データがなくなるため、再印刷したい場合は、その印刷データを送信した情報処理装置から再度、同じ印刷データを印刷装置に送信する必要がある。従って、保存している印刷データを印刷した後、印刷物の皺や、色がかすれる等の問題が見つかった場合、再印刷しようとしても印刷データが消去されているため、簡単に再印刷することができない。
【０００４】
このように印刷データの保存とセキュリティとを両立させることは難しく、この対策の一つとして、例えば特許文献１には、印刷データのセキュリティが設定されている場合は、その印刷データの保存期間を長くすることが記載されている。しかしこの場合は、単純に保存期間を可変にしているだけで、上述したログアウトを忘れた場合の問題は解決できない。
【先行技術文献】
【特許文献】
【０００５】
【特許文献１】特開２００８−８７２０７号公報
【発明の概要】
【発明が解決しようとする課題】
【０００６】
そこで、留め置き印刷において、印刷後、ユーザがログアウトし忘れても、その印刷データが他人に印刷されるのを防止し、かつ、印刷データを容易に再印刷できるようにすることが求められている。
【０００７】
本発明の目的は、上記従来技術の課題を解決することにある。
【０００８】
本発明の目的は、留め置き印刷において、印刷後にユーザがログアウトし忘れたときでも、その印刷データが印刷されることがなく、またそのユーザが、その印刷データを再印刷したい場合は、容易に再印刷できる技術を提供することにある。
【課題を解決するための手段】
【０００９】
上記目的を達成するために本発明の一態様に係る印刷装置は以下のような構成を備える。即ち、
受信した印刷データを格納する格納手段と、
前記格納手段に格納された印刷データの一覧を表示する表示手段と、
前記表示手段により表示された前記印刷データの一覧から、ログインしたユーザが選択した印刷データの印刷を実行する印刷制御手段と、
前記印刷制御手段により印刷された前記印刷データを、前記ユーザがログインしている状態で前記表示手段により表示される前記印刷データの一覧から削除し、前記ユーザがログアウトして再度ログインすると、前記印刷制御手段により印刷された前記印刷データを、前記表示手段により表示される前記印刷データの一覧に表示させる制御手段と、を有することを特徴とする。
【発明の効果】
【００１０】
本発明によれば、留め置き印刷において、印刷後にユーザがログアウトし忘れたときでも、その印刷データが印刷されることがなく、またそのユーザが、その印刷データを再印刷したい場合は容易に再印刷できるという効果がある。
【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施形態を示し、その記述と共に本発明の原理を説明するために用いられる。
【図１】本発明の実施形態に係る印刷システムの全体を説明する図。
【図２】実施形態に係る印刷装置のハードウェア構成を説明するブロック図。
【図３】本実施形態に係る印刷装置のＡＳＩＣが実行する機能を説明するブロック図。
【図４】実施形態に係る印刷装置の留め置き制御部の機能を説明するブロック図。
【図５】実施形態１に係る印刷装置による留め置き印刷処理を説明するフローチャート。
【図６】実施形態１に係る印刷装置の操作部に表示された留め置きされている印刷データの一覧の表示例を示す図。
【図７】実施形態１に係る印刷装置の操作部に表示された留め置きされている印刷データの一覧の表示例を示す図
【図８】実施形態１に係る印刷装置の操作部に表示された条件付き再印刷機能をオン或いはオフにする操作画面の一例を示す図。
【図９】実施形態１に係る印刷装置におけるタイマ割り込みの処理を説明するフローチャート。
【図１０】実施形態２に係る印刷装置の留め置き印刷処理を説明するフローチャート。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１は、本発明の実施形態に係る印刷システムの全体を説明する図である。
【００１５】
情報処理装置１０２は、ＬＡＮ（ローカルエリアネットワーク）１０３に接続され、オペレーションシステム（以下、「ＯＳ」）を搭載し、そのＯＳ上でさまざまなアプリケーションソフトを動作させることができる。印刷装置１０１は、印刷データの保管や編集、そして印刷データに基づく用紙（シート）への印刷を実行する。この印刷装置１０１は、プリンタ単体でも、スキャン、ファクシミリ等の複数の機能を有する複合機でも良い。ＬＡＮ１０３は、情報処理装置１０２、印刷装置１０１をそれぞれイーサネット（登録商標）ケーブルで接続し、当該ネットワークを構成するものである。実施形態では、情報処理装置１０２から印刷装置１０１へ印刷データが送信されて印刷される。尚、ＬＡＮ１０３は有線に限らず、携帯端末などの情報処理装置１０２から無線通信によって印刷装置１０１に印刷データを送信しても良い。
【００１６】
図２は、実施形態に係る印刷装置１０１のハードウェア構成を説明するブロック図である。
【００１７】
コントローラ部２０１は、この印刷装置１０１全体の動作を制御している。コントローラ部２０１は、ＣＰＵ２１１を内蔵し、主に印刷データをエンジン部２１０に出力する処理を実行するＡＳＩＣ（application specific integrated circuit）２０２を備える。また、ユーザに印刷装置１０１の状況を伝え、またユーザによる操作を受付ける操作部２０６、プログラムを記憶するＲＯＭ２０７、ＣＰＵ２１１のワークエリアとして使用され、画像データやプログラムの展開領域等を提供するＲＡＭ２０８を有する。ＨＤ（ハードディスクドライブ）２０９は、プログラムや印刷データ等の各種データを保存するのに使用される。また外部インターフェースを介して情報処理装置１０２とデータの送受信を行なうネットワークインターフェース（Ｉ／Ｆ）部２０３やローカルインターフェース部２０４を備える。また外部インターフェースには、イーサネットやＵＳＢなどが想定される。エンジンインターフェース部２０５は、処理した印刷データをエンジン部２１０へ送り、エンジン部２１０は、その印刷データに従って用紙（シート）に画像を印刷する。タイマ２１２は、ＣＰＵ２１１の指示に従って時間の計時を開始し、計時した時間をＣＰＵ２１１に伝える役割を果たしている。
【００１８】
実施形態では、印刷装置１０１の電源がオンされると、ＣＰＵ２１１はＲＯＭ２０７のブートプログラムを実行してＨＤ２０９に格納されているプログラムをＲＡＭ２０８に展開する。そしてＣＰＵ２１１は、そのＲＡＭ２０８に展開されたプログラムを実行して後述する各種処理を実行する。
【００１９】
図３は、本実施形態に係る印刷装置１０１のＡＳＩＣ２０２が実行する機能を説明するブロック図である。このブロック図で示す機能は、ＡＳＩＣ２０２のＣＰＵ２１１が、上述したようにしてＲＡＭ２０８に展開したプログラムを実行することにより実現される。
【００２０】
データ受信部３０１は、情報処理装置１０２から送信された印刷データをＬＡＮ１０３を介して受信する。留め置き制御部３０２は、留め置き印刷設定がされている際に、ＬＡＮ１０３を介して受信した印刷データをＲＡＭ２０８又はＨＤ２０９等の記憶部に保存する。ジョブ解析部３０３は、印刷データに付随するジョブチケット等を解析する。ＲＩＰ（ラスタイメージプロセッサ）部３０４は、ジョブチケットの解析結果を基に、印刷データをイメージデータに展開する。印刷制御部３０５は、ＲＩＰ部３０４で展開されたイメージデータをエンジン部２１０に出力して印刷させる。
【００２１】
図４は、実施形態に係る印刷装置１０１の留め置き制御部３０２の機能を説明するブロック図である。このブロック図で示す機能は、ＡＳＩＣ２０２のＣＰＵ２１１が、上述のＲＡＭ２０８に展開したプログラムを実行することにより実現される。
【００２２】
データ管理部４０１は、実データ保管部４０２に保管された実データ、書誌情報保管部４０３に保管された書誌情報を管理する。実データ保管部４０２は、印刷データをＲＡＭ２０８又はＨＤ２０９に保存して保管する。書誌情報保管部４０３は、実データ保管部４０２に保管されている印刷データを識別する情報、例えば印刷ファイルの名称等を、その印刷データを送信したユーザ名と紐付けてＲＡＭ２０８又はＨＤ２０９に保管する。再印刷制御４０４は、書誌情報保管部４０３で保管されている書誌情報を表示し、ユーザの指示に従って印刷する再印刷処理の制御を行う。再印刷待ち時間管理部４０５は、再印刷待ちの印刷データ毎に、再印刷待ちの時間経過を計測して管理する。
【００２３】
［実施形態１］
図５は、実施形態１に係る印刷装置１０１の留め置き印刷処理を説明するフローチャートである。尚、この処理は、ＡＳＩＣ２０２のＣＰＵ２１１がＲＡＭ２０８に展開したプログラムを実行することにより実現される。またここでは、情報処理装置１０２のプリントアプリケーションによる印刷データの送信時、或いは印刷装置１０１において留め置き印刷設定がされているものとする。つまり、ジョブ解析部３０３により、留め置き印刷が設定されていると判定されると印刷装置１０１は、受信した印刷データを直ぐに印刷せずに、ＨＤ２０９に保存しているものとする。
【００２４】
先ずＳ５０１でＣＰＵ２１１は、ユーザが保管している印刷データを印刷するために行うログイン操作を受付ける、このときそのユーザを認証し、そのユーザの認証に成功するとユーザのログインを行う。次にＳ５０２に進みＣＰＵ２１１は、ログインしたユーザが送信してＨＤ２０９に保管されている印刷データの書誌情報を、操作部２０６の表示部に表示する。
【００２５】
図６は、実施形態１に係る印刷装置１０１の操作部２０６に表示された留め置きされている印刷データの一覧の表示例を示す図である。
【００２６】
図６では、ログインしたユーザ（太郎）が送信した印刷データとして、２つの文書データがＨＤ２０９に保管されている場合を示している。、
次にＳ５０３に進みＣＰＵ２１１は、図６の画面を介してユーザ（太郎）が印刷データを選択して印刷ボタン６０１を押下すると、その選択した印刷データの印刷指示を受付けてその印刷データを取得する。次にＳ５０４に進みＣＰＵ２１１は、その印刷指示に従って、その選択された印刷データの印刷を実行する。
【００２７】
次にＳ５０５に進みＣＰＵ２１１は、その印刷データにおいて、条件付き再印刷機能がオンになっているか否かを判定する。ここで条件付き再印刷機能がオフであればＳ５１０へ進むが、条件付き再印刷機能が設定されていればＳ５０６に進む。
【００２８】
図８は、実施形態１に係る印刷装置１０１の操作部２０６に表示された条件付き再印刷機能をオン或いはオフにする操作画面の一例を示す図である。
【００２９】
この画面は、例えば、図６の画面でユーザが印刷データを選択して印刷ボタン６０１を押下することにより表示される。この画面でユーザがオンボタン８０１或いはオフボタン８０２を選択することにより、条件付き再印刷機能を設定、或いは解除することができる。図６は、条件付き再印刷機能を設定するようにオンボタン８０１が選択されている状態を示す。再印刷期限８０３は、条件付き再印刷機能がオンに設定されているとき、その条件付き再印刷機能が有効である時間を指定する。ここで設定された時間は、図６の画面でユーザが選択した印刷データに関連付けてＲＡＭ２０８に保持される。キャンセルボタンは、この画面の設定をキャンセルし、ＯＫボタンはこの画面の設定を確定するように指示するボタンである。この画面で設定された内容はＲＡＭ２０８に記憶される。
【００３０】
Ｓ５０６でＣＰＵ２１１は、Ｓ５０３で選択され印刷された印刷データに対して再印刷フラグ（ＲＡＭ２０８に保持されている）をセットする。この再印刷フラグは、保管されている全ての印刷データに対して用意されているフラグである。この再印刷フラグは、印刷データを保管した後、その印刷データが印刷されるとオンにセットされる。次にＳ５０７へ進みＣＰＵ２１１は、そのユーザが発行した、保管されている各印刷データの再印刷フラグを調べ、再印刷フラグがオンである印刷データが存在しているか否かを判定する。この判定の結果、そのユーザが発行した全ての印刷データの再印刷フラグがオフであればＳ５１０へ進む。一方、そのユーザが発行した印刷データに、再印刷フラグがオンの印刷データがあればＳ５０８へ進み、ＣＰＵ２１１は、その印刷データの書誌情報を非表示にする。
【００３１】
例えば、図６に示す画面を例に説明すると、いまユーザが「文章B.ppt」を選択してＳ５０４で印刷を実行すると、その「文章B.ppt」の再印刷フラグがオンとなる。その結果、Ｓ５０８で、図７に示すように、「文章B.ppt」は、非表示となって、留め置きされている印刷データの一覧表示から削除される。
【００３２】
次にＳ５０９へ進みＣＰＵ２１１は、再印刷の待ち時間を計時するためにタイマ２１２による計時を開始させる。次にＳ５１０へ進みＣＰＵ２１１は、そのユーザによるログアウト操作を待ち、ログアウト操作が行われるとＳ５１１に進んで、そのユーザを印刷装置１０１からログアウトする。このログアウト時に、そのユーザの印刷データの再印刷フラグを全てオフにする。これにより、そのユーザが再度ログインすると、図７で非表示になっていた、再印刷可能な、そのユーザの印刷データが図６のように再度表示される。一方、Ｓ５１０で、ユーザのログアウト操作が無いときはＳ５０２の処理に戻って、前述の処理を行う。
【００３３】
図９は、実施形態１に係る印刷装置１０１におけるタイマ割り込みの処理を説明するフローチャートである。尚、この処理は、ＡＳＩＣ２０２のＣＰＵ２１１がＲＡＭ２０８に展開したプログラムを実行することにより実現され、図５のＳ５０９で計時を開始したタイマ２１２が、所定時間を計時することによりＣＰＵ２１１に割り込みを発生することにより開始される。
【００３４】
先ずＳ９０１でＣＰＵ２１１は、保管されている印刷データの中に、条件付き再印刷待ちの印刷データがあるかどうかを判定する。この判定は、各印刷データに対応して、前述の再印刷期限がＲＡＭ２０８に記憶されているかどうかで判定する。この判定の結果、条件付き再印刷待ちの印刷データが無いと判定すると、このまま処理を終了する。
【００３５】
Ｓ９０１で条件付き再印刷待ちの印刷データがあると判定した場合はＳ９０２へ進む。Ｓ９０２でＣＰＵ２１１は、タイマ２１２が計時した時間が、図８の画面で設定されてＲＡＭ２０８に記憶されている再印刷期限に達しているか印刷データがあるかどうか判定する。Ｓ９０２でＣＰＵ２１１が、再印刷期限を過ぎている印刷データがないと判定するとＳ９０４へ進むが、そうでないときはＳ９０３へ進む。Ｓ９０３でＣＰＵ２１１は、保管されている対象の印刷データを削除してＳ９０４に進む。Ｓ９０４でＣＰＵ２１１は、再度、保管されている印刷データの中に、再印刷待ちの印刷データが有るかどうかを判定し、あればＳ９０２へ戻って、前述の処理を繰り返すが、なければこの処理を終了する。
【００３６】
以上説明したように実施形態１によれば、ユーザが留め置いた印刷データを条件付きで再印刷するように設定すると、そのユーザがログインして、その印刷データを印刷した後、その印刷データは削除されずに保管されたままとなる。このとき、そのユーザがログインしたままであれば、その印刷データは表示されなくなるので、第三者が、その印刷データを再印刷するおそれが無い。また印刷を実行したユーザが印刷物の不具合を発見した場合等は、ユーザが一旦、ログアウトして、再度ログインすることにより、その印刷データを再印刷することができる。
【００３７】
また指定した時間が経過すると、その保管されている印刷データが自動的に削除されるので、印刷後、ユーザがログアウトし忘れても、その印刷データが他人に印刷されるのを防止できるという効果がある。
【００３８】
［実施形態２］
図１０は、実施形態２に係る印刷装置１０１の留め置き印刷処理を説明するフローチャートである。尚、この処理は、ＡＳＩＣ２０２のＣＰＵ２１１がＲＡＭ２０８に展開したプログラムを実行することにより実現される。またここでは、情報処理装置１０２のプリントアプリケーションによる印刷データの送信時、或いは印刷装置１０１において留め置き印刷設定がされているものとする。つまり、ジョブ解析部３０３により、留め置き印刷が設定されていると判定されると印刷装置１０１は、受信した印刷データを直ぐに印刷せずに、ＨＤ２０９に保存しているものとする。
【００３９】
実施形態２では、条件付きの再印刷を、図８の画面で設定された再印刷期限内に１回だけ許可する場合の処理を示している。
【００４０】
尚、図１０のＳ１００１〜Ｓ１００５の処理は、前述の図５のＳ５０１〜Ｓ５０５と同じであるため、その説明を省略する。Ｓ１００５でＣＰＵ２１１は、その印刷データにおいて、条件付き再印刷機能がオンになっているか否かを判定する。ここで条件付き再印刷機能がオフであればＳ１０１２へ進むが、条件付き再印刷機能が設定されていればＳ１００６に進む。Ｓ１００６でＣＰＵ２１１は、Ｓ１００４で選択され印刷された印刷データに、再印刷フラグ（ＲＡＭ２０８に保持されている）がオンにセットされているかどうか判定する。ここで再印刷フラグがオンと破堤すると、その印刷データは既に１回印刷されているためＳ１００７に進み、その保管されている印刷データを削除してＳ１０１２に進む。尚、Ｓ１００８〜Ｓ１０１３の処理は、前述の図５のＳ５０６〜Ｓ５１１の処理と同じであるため、その説明を省略する。
【００４１】
尚、この実施形態２においても、タイマ２１２による計時時間が、図８の画面で設定された再印刷期限になると、その対象の印刷データが自動的に削除されることは前述の実施形態１と同様である。
【００４２】
尚、この実施形態２では、再印刷期限内に、一度だけ対象の印刷データを再印刷できるようにしたが、再印刷期限内に再印刷できる所定回数を設定できるようにしても良い。
【００４３】
以上説明したように実施形態２によれば、ユーザが留め置いた印刷データを条件付きで再印刷するように設定すると、そのユーザがログインして、その印刷データを印刷した後、その印刷データは削除されずに保管されたままとなる。このとき、そのユーザがログインしたままであれば、その印刷データは表示されなくなるので、第三者が、その印刷データを再印刷するおそれが無い。また印刷を実行したユーザが印刷物の不具合を発見した場合等は、ユーザが一旦、ログアウトして、再度ログインすることにより、その印刷データを再印刷することができる。
【００４４】
また指定した時間が経過するまでは、一度だけ、その印刷データを再印刷することができ、指定した時間が経過すると、その保管されている印刷データが自動的に削除される。これにより、印刷後、ユーザがログアウトし忘れても、その印刷データが他人に印刷されるのを防止できるという効果がある。
【００４５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００４６】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００４７】
１０１…印刷装置、２０２…ＡＳＩＣ，２０６…操作部、２０８…ＲＡＭ、２１１…ＣＰＵ、２１２…タイマ
【図１】
2017222116.tif 000003
【図２】
2017222116.tif 000004
【図３】
2017222116.tif 000005
【図４】
2017222116.tif 000006
【図５】
2017222116.tif 000007
【図６】
2017222116.tif 000008
【図７】
2017222116.tif 000009
【図８】
2017222116.tif 000010
【図９】
2017222116.tif 000011
【図１０】
2017222116.tif 000012